(57)【特許請求の範囲】
【請求項１】
下サネ又は上サネで形成したサイディングの端部と、サッシとの間を同一構造のケーシングを用いて止水する乾式シーリング方法において、
前記ケーシングは少なくともサッシに対する嵌合部とサイディングに対する接合部とを有しており、
前記サイディングの端部が前記下サネであるとき、前記ケーシングの接合部を直接前記下サネに密接することで、前記下サネと前記サッシとの間を止水する一方、前記サイディングの端部が前記上サネであるとき、前記ケーシングの接合部に調整部材を延出させて取り付け、該調整部材に前記上サネを密接することで、前記上サネと前記サッシとの間を止水することを特徴とする乾式シーリング方法。
【請求項２】
少なくともサッシに対する嵌合部と、接合部を有するケーシングを用いて、両側が開口となる柱の両側に取り付けた一対のサッシ同士の間を止水する乾式シーリング方法において、
１つの前記ケーシングの前記接合部に該接合部と平行に延出する前記調整部材を取り付け、該ケーシングを一方の前記サッシに取り付け、該１つのケーシングと左右対称の断面形状を有する他のケーシングを他方の前記サッシに取り付けるとともに、該ケーシングの接合部を前記延出した調整部材に密接することを特徴とする乾式シーリング方法。
【発明の詳細な説明】
【０００１】
【発明の属する技術分野】
本発明は、サッシとサイディング端部との間、或いはサッシ同士の間を止水する乾式シーリング方法及びそれに用いるケーシング及び調整部材に関する。
【０００２】
【従来の技術】
壁パネル等に取り付けるサイディングは、一般に、連結方向の一端側を下サネ（壁パネル側の面を端面から延出させた突起）、他端側を上サネ（サイディング表面側の面を端面から延出させた突起）とし、この下サネ、上サネを順次合わせて行くことで連結を行う。
このような連結構造を有したサイディングを壁パネルに取り付ける場合、壁パネルに開口が有ると、サイディングは開口を挟んで一方の端部が下サネ、他方の端部が上サネとなる。
従来、このように異なるサネ形状となったそれぞれのサイディング端部を壁パネル開口に連結する場合には、壁パネル開口を挟んで左右で異なるサイディングの下サネ又は上サネを切除し、サイディングの端面を平坦面とした後、この端面と、開口サッシに取り付けたケーシングとの間にコーキング材を充填し、湿式シーリングにて止水施工を行っていた。
【０００３】
【発明が解決しようとする課題】
しかしながら、上述した従来の湿式シーリング方法では、サネの切除に余分な工数が必要になり、作業効率が低下する問題があった。
また、建築現場にてコーキング材を充填する湿式シーリングは、コーキング材の乾燥に時間がかかる欠点があった。
更に、湿式シーリング施工は、熟練技術を要するとともに、仕上げにバラツキが出やすく、見栄えの悪い問題があった。
本発明は上記状況に鑑みてなされたもので、サネを切除することなく且つ湿式シーリングによらず、サイディング端部とサッシとを止水できる乾式シーリング方法及びそれに用いる調整部材を提供し、作業性の向上、見栄えの向上を図ることを目的とする。
【０００４】
【課題を解決するための手段】
上記の目的を達成するための本発明に係る乾式シーリング方法は、下サネ又は上サネで形成したサイディングの端部と、サッシとの間を同一構造のケーシングを用いて止水する乾式シーリング方法において、前記ケーシングは少なくともサッシに対する嵌合部とサイディングに対する接合部とを有しており、前記サイディングの端部が前記下サネであるとき、前記ケーシングの接合部を直接前記下サネに密接することで、前記下サネと前記サッシとの間を止水する一方、前記サイディングの端部が前記上サネであるとき、前記ケーシングの接合部に調整部材を延出させて取り付け、該調整部材に前記上サネを密接することで、前記上サネと前記サッシとの間を止水することを特徴とする乾式シーリング方法である。
【０００５】
また、本願の他の発明は、少なくともサッシに対する嵌合部と、接合部を有するケーシングを用いて、両側が開口となる柱の両側に取り付けた一対のサッシ同士の間を止水する乾式シーリング方法において、１つの前記ケーシングの前記接合部に該接合部と平行に延出する前記調整部材を取り付け、該ケーシングを一方の前記サッシに取り付け、該１つのケーシングと左右対称の断面形状を有する他のケーシングを他方の前記サッシに取り付けるとともに、該ケーシングの接合部を前記延出した調整部材に密接することを特徴とする乾式シーリング方法である。
【０００６】
【発明の実施の形態】
以下、本発明に係る乾式シーリング方法及びそれに用いる調整部材の好適な実施の形態を図面を参照して詳細に説明する。
図１はサイディング端部が下サネの場合のサイディングとサッシとの取り付け状態を示す断面図、図２はサイディング端部が上サネの場合のサイディングとサッシとの取り付け状態を示す断面図、図３は両側が開口となる柱へのサッシの取り付け状態を示す断面図である。
壁パネル１には開口３を設けてあり、壁パネル１の開口端面には開口枠５を取り付けてある。
【０００７】
この開口枠５にはサッシ７を取り付けてあり、サッシ７は開口枠５の内面に平行な枠板７ａと、この枠板７ａの幅方向中央から壁パネル表面と平行に突出した固定部７ｂとで断面略Ｔ形に形成してある。サッシ７は、枠部７ａの幅方向一端側を開口枠５の内面にビス固定するとともに、固定部７ｂを壁パネル表面と平行な開口枠５の面に止水材（エプトシーラ等）８を介して固定してある。従って、サッシ７は、枠板７ａの幅方向他端側を、開口枠５の内面から平行に延出させた状態で取り付けてある。
【０００８】
壁パネル１の表面には、胴縁９を介してサイディング１１を取り付けてある。サイディング１１の端部は、連結方向の一端側を下サネ（壁パネル側の面を端面から延出させた突起）１３、他端側を上サネ（サイディング表面側の面を端面から延出させた突起）１５で形成してある。
【０００９】
このサイディング１１の端部とサッシ７との連結には、ケーシング１７を用いる。ケーシング１７は、サッシ７とサイディング１１とに亘って設ける部材で、壁パネル表面と平行な外板部１７ａと、この外板部１７ａの幅方向中央から外板部１７ａに垂直に突出した支持部１７ｂとで断面略Ｔ形に形成してある。外板部１７ａの一端にはＬ形に曲がった嵌合部１７ｃを形成してある。ケーシング１７は、支持部１７ｂを固定部７ｂに当接し、嵌合部１７ｃを開口枠５から突出した枠板７ａの他端に嵌合することで、サッシ７に取り付けてある。また、外板部１７ａの他端には壁パネル表面と平行な面を有するコ字形の接合部１７ｄを形成してあり、接合部１７ｄは図１に示すように、壁パネル１の表面に取り付けたサイディング１１の下サネ１３に面接触するようになっている。
【００１０】
ケーシング１７には、ケーシング１７に沿って延びる帯板状の調整部材１９（図２参照）を着脱自在に取り付けできるようになっている。調整部材１９の一方の面には、幅方向の両端で、調整部材１９の長手方向に亘って止水材（エプトシーラ等）８を貼り付けてある。この調整部材１９は、幅方向の一端側を、ケーシング１７の接合部１７ｄにビス等により取り付けできるようになっている。従って、接合部１７ｄに一端側を取り付けた調整部材１９は、幅方向他端側が接合部１７ｄの接合面と平行に延出するようになっている。
【００１１】
このように形成したサッシ７、サイディング１１、ケーシング１７、調整部材１９を用いてのサッシ７とサイディング端部との間、或いはサッシ７同士の間を止水するシーリング方法を説明する。
図１に示すように、壁パネル１に取り付けたサイディング１１の端部が下サネ１３である場合、サイディング１１の端部とサッシ７との間を止水するには、サッシ７にケーシング１７を取り付け、ケーシング１７の接合部１７ｄを止水材８を介して下サネ１３に密接する。これにより、サイディング１１の下サネ１３とサッシ７との間が止水されることになる。なお、この場合、サイディング１１は、ケーシング１７の取り付け前に取り付けることが好ましいが、ケーシング１７を取り付けた後、下サネ１３を差し入れることで、ケーシング１７を取り付けた後に取り付けることも可能である。
【００１２】
一方、図２に示すように、壁パネル１に取り付けたサイディング１１の端部が上サネ１５である場合、サイディング１１の端部とサッシ７との間を止水するには、ケーシング１７の接合部１７ｄに調整部材１９を取り付ける。一端側を接合部１７ｄに取り付けた調整部材１９は、他端側が接合部１７ｄの接合面から平行に延出する。このケーシング１７をサッシ７に取り付け、止水材８を介して調整部材１９の他端側を上サネ１５に密接する。これにより、サイディング１１の上サネ１５とサッシ７との間が止水されることになる。なお、この場合、ケーシング１７は、サイディング１１の取り付け前に取り付けることが好ましいが、サイディング１１を取り付けた後、調整部材１９を差し入れることで、サイディング１１を取り付けた後に取り付けることも可能である。
【００１３】
また、図３に示すように、両側が開口３、３となる柱２３に取り付けたサッシ７、７同士の間を止水するには、一方のケーシング１７の接合部１７ｄに調整部材１９を取り付け、このケーシング１７を一方のサッシ７に取り付ける。次いで、他方のサッシ７にケーシング１７を取り付け、このケーシング１７の接合部１７ｄを、既に取り付けてあるケーシング１７の調整部材１９に止水材８を介して密接する。図３に示すように、一方のサッシ７と他方のサッシ７に取り付ける同一のケーシング１７、１７は、上下を反転させ左右対称の断面形状として用いる。これにより、柱２３に取り付けた一対のサッシ７、７同士の間が、乾式シーリングされる一対のケーシング１７によって止水されることになる。なお、この場合、調整部材１９を取り付けたケーシング１７を先に取り付けることが好ましいが、調整部材１９を差し入れることで、調整部材１９を取り付けたケーシング１７を後に取り付けることも可能である。
【００１４】
このように、上述のシーリング方法によれば、サイディング１１の端部が下サネ１３となる場合には、ケーシング１７の接合部１７ｄを下サネ１３に密接することで、下サネ１３とサッシ７との間を乾式シーリングすることができ、サイディング１１の端部が上サネ１５となる場合には、サッシ７に取り付けたケーシング１７の接合部１７ｄに調整部材１９を取り付け、この調整部材１９を上サネ１５に密接することで、上サネ１５とサッシ７との間を乾式シーリングすることができる。
【００１５】
また、ケーシング１７に調整部材１９を取り付けることで、下サネ１３の接合面と略同一の接合面を形成できるので、これに他方のケーシング１７の接合部１７ｄを密接させることで、一対のケーシング１７を乾式シーリングすることができる。即ち、両側が開口３となる柱２３に取り付けた一対のサッシ７に、それぞれケーシング１７を取り付けて、この一対のケーシング１７を乾式シーリングすることで、サッシ７同士の間を止水することができる。
【００１６】
更に、上述の調整部材１９によれば、ケーシング１７の接合部１７ｄに取り付けることで、下サネ１３の接合面と略同一の接合面を形成できるので、下サネ１３との止水専用の接合部１７ｄを、上サネ１５との止水接合部へ容易に変更することができる。
【００１７】
なお、上述の例では、接合部１７ｄと下サネ１３との間、調整部材と接合部１７ｄとの間、調整部材１９と上サネ１５との間を止水材８によってシールする場合を例に説明したが、これらの間をシールする手段は、水密性が確保できるものであれば、止水材８に限定されるものではない。
【００１８】
【発明の効果】
以上詳細に説明したように、本発明に係る乾式シーリング方法によれば、サイディングの端部が下サネである場合、ケーシングの接合部を下サネに密接することで、下サネとサッシとの間を止水し、サイディングの端部が上サネである場合、ケーシングに調整部材を取り付け、この調整部材に上サネを密接することで、上サネとサッシとの間を止水するので、サネを切除することなく且つ湿式シーリングによらず、上サネ又は下サネのいずれの端部であってもサッシとシーリングすることができる。この結果、サネを切除する工数、コーキング材の乾燥時間を削減でき、見栄えも向上させることができる。
また、乾式シーリング方法によれば、調整部材を取り付けたケーシングを一方のサッシに取り付け、他方のサッシにケーシングを取り付け、このケーシングの接合部を、既に取り付けてあるケーシングの調整部材に密接することで、柱の両側に取り付けた一対のサッシ同士の間もシーリングすることができる。
本発明に係る調整部材によれば、ケーシングの接合部に取り付けることで、下サネの接合面と略同一の接合面が形成されるので、下サネ専用の接合部を、上サネの止水接合部へ容易に変更することができる。
【図面の簡単な説明】
【図１】  サイディング端部が下サネの場合のサイディングとサッシとの取り付け状態を示す断面図である。
【図２】  サイディング端部が上サネの場合のサイディングとサッシとの取り付け状態を示す断面図である。
【図３】  両側が開口となる柱へのサッシの取り付け状態を示す断面図である。
【符号の説明】
３ 開口                     ７ サッシ
８ 止水材                   １１ サイディング
１３ 下サネ                 １５ 上サネ
１７ ケーシング             １７ｄ 接合部
１９ 調整部材               ２３ 柱
【図１】
0003694373.tif 000002
【図２】
0003694373.tif 000003
【図３】
0003694373.tif 000004